(57)【特許請求の範囲】
【請求項１】
掃除機本体と、一端が前記掃除機本体に接続され、他端にホースグリップ部を有するホースと、前記ホースグリップ部に一端が着脱自在に接続されるパイプと、該パイプの他端に着脱自在に接続される床用吸込具と、前記ホースグリップ部または前記パイプに着脱自在に接続されるアタッチメントとを備えた電気掃除機であって、
前記アタッチメントの接続部に係合孔を形成し、前記ホースグリップ部または前記パイプ部に突部を形成し、前記アタッチメントを前記ホースグリップ部または前記パイプに差し込んで嵌合させた状態で、前記突部を前記係合孔に係合させて前記アタッチメントを前記ホースグリップ部または前記パイプに接続すると共に、
前記パイプの外周面に、前記アタッチメントを収納する収納部を設け、該収納部には、アタッチメントを差し込んで嵌合する円筒部を形成し、該円筒部には、円筒部のパイプ外周面側に位置にアタッチメントの係合孔に係合する突部を形成することを特徴とする電気掃除機。
【請求項２】
前記アタッチメントの吸込口が塞がれた時に、空気を取り入れるための空気導入口を前記アタッチメントに形成し、該空気導入口は、前記係合孔とは反対側の位置に形成されたことを特徴とする請求項１記載の電気掃除機。
【発明の詳細な説明】
【技術分野】
【０００１】
本発明は、アタッチメントの取り付け構造を改良した電気掃除機に関する。
【背景技術】
【０００２】
電気掃除機のアタッチメントの一つに部屋のコーナや桟などを掃除するためのアタッチメントがある。従来このアタッチメントは、アタッチメントをホースグリップ部またはパイプの内面に嵌合させて装着されるものであった。
【０００３】
このような構成では、アタッチメントが単に嵌合された状態で装着されているため、掃除中アタッチメントに衝撃が加わると、アタッチメントががたついたり或いはホースグリップ部またはパイプの内面から抜け外れてしまうよう不具合が生じていた。
【特許文献１】特開平１１−２２１１７７号公報（Ａ４７Ｌ  ９／０２）
【発明の開示】
【発明が解決しようとする課題】
【０００４】
本発明は上記欠点に鑑みなされたもので、アタッチメントががたついたり或いは抜け外れてしまうことがない電気掃除機を提供することを課題とする。
【課題を解決するための手段】
【０００５】
上記課題を解決するための手段は、掃除機本体と、一端が前記掃除機本体に接続され、他端にホースグリップ部を有するホースと、前記ホースグリップ部に一端が着脱自在に接続されるパイプと、該パイプの他端に着脱自在に接続される床用吸込具と、前記ホースグリップ部または前記パイプに着脱自在に接続されるアタッチメントとを備えた電気掃除機であって、前記アタッチメントの接続部に係合孔を形成し、前記ホースグリップ部または前記パイプ部に突部を形成し、前記アタッチメントを前記ホースグリップ部または前記パイプに差し込んで嵌合させた状態で、前記突部を前記係合孔に係合させて前記アタッチメントを前記ホースグリップ部または前記パイプに接続すると共に、前記パイプの外周面に、前記アタッチメントを収納する収納部を設け、該収納部には、アタッチメントを差し込んで嵌合する円筒部を形成し、該円筒部には、円筒部のパイプ外周面側に位置にアタッチメントの係合孔に係合する突部を形成することを特徴とする。
【０００９】
また、前記アタッチメントの吸込口が塞がれた時に、空気を取り入れるための空気導入口を前記アタッチメントに形成し、該空気導入口は、前記係合孔とは反対側の位置に形成してもよい
【発明の効果】
【００１０】
本発明の請求項１によれば、アタッチメントとホースグリップ部またはパイプとの接続は、ホースグリップ部またはパイプに形成された突部を、アタッチメントに形成された係合孔に係合させて固定するので、簡単な構成でアタッチメントのがたつき或いは抜け外れを確実に防止することができる。また、アタッチメントを収納する際には、パイプの収納部に形成した円筒部にアタッチメントを差し込み、円筒部に形成した突部をアタッチメントの係合孔に係合して確実に固定することができ、アタッチメントを紛失する虞がなくなる。さらに、収納部の突部は、パイプの外周面側に位置させているので、アタッチメントを収納部から取り外して掃除をする際、収納部の突部で家具や床面を傷つけることがなくなる等の効果を奏する。
【００１４】
本発明の請求項２によれば、金型の構造上、同一方向に孔があいていると成型時の型開き時に孔のあいている箇所が抵抗になり成形部品の変形や白化につながるという不具合が生じるが、空気導入口を係合孔とは反対側の位置に形成しているので、抵抗が均一化し成形部品の型離れが良くなる等の効果を奏する。
【発明を実施するための最良の形態】
【００１５】
本発明の実施形態を図１乃至図６に基づいて以下に説明する。
【００１６】
図１は、本願発明の実施形態を示す電気掃除機の起立収納（スタンド収納）状態を示す外観図である。図２は、同隙間用アタッチメントの斜視図である。図３は、同隙間用アタッチメントを延長パイプに装着する時を示す側面断面図である。図４は、同隙間用アタッチメントを延長パイプに装着した時を示す側面断面図である。図５は、同隙間用アタッチメントを収納部に収納した時を示す側面断面図である。図６は、同隙間用アタッチメントを収納する収納部を後方斜めからみたときの斜視図である。
【００１７】
１は、電動送風機及び集塵室を有する掃除機本体で、前方に可撓性ホース２の一端が接続される本体吸込口３が形成され、該掃除機本体１の底面に、後述する延長パイプ６の係止部材１２が係合する係合部４を形成している。
【００１８】
５は、前記掃除機本体１の後方の両側に設けられた車輪で、該車輪５を被掃除面上で回転させることにより、簡単に前記掃除機本体１を移動できるようになっている。
【００１９】
６は、後述するホースグリップ部７の接続管９に着脱自在に接続される延長パイプで、該延長パイプ６は、伸縮自在にできる構成となっている。
【００２０】
７は、前記可撓性ホース２の他端に接続されるホースグリップ部で、該ホースグリップ部７は、前記延長パイプ６または後述する隙間用アタッチメント１３のいずれかが接続される把手部８有する接続管９と、該接続管９に回動自在に取り付けられるホース接続管１０とから形成されている。
【００２１】
１１は、前記延長パイプ６の端部に接続される床用吸込具である。
【００２２】
１２は、前記延長パイプ６の下面（前記把手部８とは反対の位置）に取り付けられた係止部材で、図１に示すように前記掃除機本体１に前記可撓性ホース２、前記延長パイプ６、及び前記床用吸込具１１を接続した状態で、前記掃除機本体１を起立収納（スタンド収納）した際に、前記係止部材１２を前記係合部４に係止するようになっている。
【００２３】
１３は、一端に扁平状の吸込口１４、他端に接続部１５を有する隙間用アタッチメントで、家具間の隙間等を掃除するために、先端（吸込口１４側）が他端（接続部１５側）より細くなったノズル１６を形成している。また、前記接続部１５は、前記延長パイプ６または前記ホースグリップ部７の接続管９の内周に接続できるよう略円形状に形成されている。
【００２４】
１７は、前記ノズル１６の下面側に形成された空気導入口で、前記吸込口１４が塞がれても前記空気導入口１７から空気が導入されるため、電動送風機の温度上昇が抑制されるようになっている。
【００２５】
１８は、前記接続部１５の上面側、即ち前記空気導入口１７とは反対の位置に形成された係合孔で、前記延長パイプ６の第１クランプ１９に形成された突部２０、前記接続管９の第２クランプ２１に形成された突部（図示しない）、後述する収納部２２の突部２８に係合できるようになっている。隙間用アタッチメントの製造において、金型の構造上、同一方向に孔（開口）があいていると成型時の型開き時に、孔のあいている個所が抵抗になり成型部品の変形や白化につながるという不具合が生じるが、本実施例では、前記空気導入口１７を前記係合孔１８とは反対側の位置に形成しているので、抵抗が均一化し成型部品の型離れが良くなり、上述した不具合が解消できるようになっている。
【００２６】
２２は、前記延長パイプ６の下面（前記把手部８とは反対の位置）に螺子２３にて取り付けられた前記隙間用アタッチメント１３を収納する収納部で、該収納部２２は、図６に示すように螺子孔２４を有する取付部２５と、該取付部２５から上方に延びる円筒部２５とから形成されている。また、前記円筒部２６には前記延長パイプ６の外周面側に臨むコの字状の切欠部２７が形成され、該切欠部２７より前記取付部２５に形成された突部２８が突出している。そして、前記隙間用アタッチメント１３は、図５に示すように前記接続部１５の内周を前記円筒部２６に差し込んで嵌合し、更に前記係合孔１８に前記突部２８を係合させて収納されている。よって、掃除中、前記隙間用アタッチメント１３に衝撃が加わっても、前記係合孔１８に前記突部２８を係合させて前記隙間用アタッチメント１３を固定しているので、前記隙間用アタッチメント１３が前記収納部２２から抜け落ちることがなくなり、前記隙間用アタッチメント１３の紛失を防止できるようにしている。
【００２７】
また、前記突部２８が前記延長パイプ６の外周面側に位置するように形成されているので、前記隙間用アタッチメント１３を前記収納部２２から取り外して掃除をする場合、前記突部２８で家具や床面当を傷つけることを防止できる。
【００２８】
次に、前記隙間用アタッチメント１３を前記延長パイプ６に接続する場合は、図３及び図４に示すように、前記隙間用アタッチメント１３の前記接続部１５を前記延長パイプ６の内周に差し込んで嵌合させ、更に前記係合孔１８に前記第１クランプ１９の前記突部２０を係合させて固定接続する。前記第１クランプ１９の前記突部２０は、バネ２９の付勢力によって常時下方側に付勢されており、前記第１クランプ１９を押圧すると前記係合孔１８と前記突部２０との係合が解除されるようになっている。よって、掃除の際、前記隙間用アタッチメント１３に力が加わっても、前記係合孔１８に前記第１クランプ１９の前記突部２０を係合させて固定しているので、前記隙間用アタッチメント１３ががたついたり或いは抜け外れることを防止することができる。
【００２９】
また、前記隙間用アタッチメント１３を前記ホースグリップ部７の前記接続管９に接続する場合も、前述した構成と同様、前記隙間用アタッチメント１３の前記接続部１５を前記ホースグリップ部７の前記接続管９の内周に差し込んで嵌合させ、更に前記係合孔１８に前記第２クランプ２１の突部（図示しない）を係合させて接続しているので、掃除の際、前記隙間用アタッチメント１３に力が加わっても、前記隙間用アタッチメント１３ががたついたり或いは抜け外れることを防止することができる。
【図面の簡単な説明】
【００３０】
【図１】図１は、本願発明の実施形態を示す電気掃除機の起立収納（スタンド収納）状態を示す外観図である。
【図２】図２は、同隙間用アタッチメントの斜視図である。
【図３】図３は、同隙間用アタッチメントを延長パイプに装着する時を示す側面断面図である。
【図４】図４は、同隙間用アタッチメントを延長パイプに装着した時を示す側面断面図である。
【図５】図５は、同隙間用アタッチメントを収納部に収納した時を示す側面断面図である。
【図６】図６は、同隙間用アタッチメントを収納する収納部を後方斜めからみたときの斜視図である。
【符号の説明】
【００３１】
１        掃除機本体
７        ホースグリップ部
２        可撓性ホース
６        延長パイプ
１１        床用吸込具
１３        隙間用アタッチメント
１８        係合孔
２０、２８        突部
１７        空気導入口
【図１】
0004749157.tif 000002
【図２】
0004749157.tif 000003
【図３】
0004749157.tif 000004
【図４】
0004749157.tif 000005
【図５】
0004749157.tif 000006
【図６】
0004749157.tif 000007